(57)【要約】【課題】複数の撮影装置の撮影パラメータを管理装置によって一元管理する。【解決手段】ネットワーク上に複数のＸ線画像撮影装置とともに、管理装置を接続し、管理装置はマスタとするＸ線画像撮影装置から撮影パラメータを取得するとともに、マスタＸ線画像撮影装置の撮影パラメータをマスタ以外のＸ線画像撮影装置に配布する。【選択図】        図１
2005013397.tif 000002
【特許請求の範囲】
【請求項１】
少なくとも１以上のＸ線画像撮影装置が接続されたパラメータ管理装置において、
複数のＸ線画像撮影装置のパラメータを読み込む入力部、マスタとするパラメータを複数のＸ線画像撮影装置に転送する出力部、特定の装置のパラメータをマスタと指定する指定部を備えることを特徴とするパラメータ管理装置。
【請求項２】
前記請求項１記載のパラメータ管理装置は、
接続されたＸ線画像撮影装置の起動時にＸ線画像撮影装置のパラメータを入力することを特徴とするパラメータ管理装置。
【請求項３】
前記請求項１記載のパラメータ管理装置は、
接続されたＸ線画像撮影装置の起動時にマスタとするＸ線画像撮影装置のパラメータを出力することを特徴とするパラメータ管理装置。
【請求項４】
前記請求項１記載のパラメータ管理装置は、
接続されたＸ線画像撮影装置の要求によりＸ線画像撮影装置のパラメータを入力することを特徴とするパラメータ管理装置。
【請求項５】
前記請求項１記載のパラメータ管理装置は、
接続されたＸ線画像撮影装置の要求によりマスタとするＸ線画像撮影装置のパラメータを出力することを特徴とするパラメータ管理装置。
【請求項６】
前記請求項１記載のパラメータ管理装置は、
接続されたＸ線画像撮影装置の要求によりマスタとするＸ線画像撮影装置を変更することを特徴とするパラメータ管理装置。
【請求項７】
前記請求項１記載のパラメータ管理装置は、
マスタとするパラメータを出力する装置を指定する、出力管理部を備え、該出力管理部に指定されたＸ線画像撮影装置に対してマスタとするパラメータを出力することを特徴とするパラメータ管理装置。
【請求項８】
前記請求項１記載のパラメータ管理装置は、
１以上のパラメータから構成されるパラメータ群毎にマスタとする装置を指定するマスタパラメータ管理部を備え、該マスタパラメータ管理部に指定されたマスタとする装置からパラメータを読み込むことを特徴とするパラメータ管理装置。
【請求項９】
少なくとも２以上のＸ線画像撮影装置が接続されたパラメータ管理装置において、
複数のＸ線画像撮影装置のパラメータを読み込む入力部、マスタとするパラメータを複数のＸ線画像撮影装置に転送する出力部、特定の装置のパラメータをマスタと指定する指定部を備えるとともに、少なくとも１以上のＸ線画像撮影装置に対して、マスタとする装置の情報を管理する管理部を複数持ち、管理部の切り替え手段を持つことを特徴とするパラメータ管理装置。
【請求項１０】
前記請求項９記載のパラメータ管理装置は、
接続されたＸ線画像撮影装置の起動時に、Ｘ線画像撮影装置のパラメータを現在選択されている管理部の情報を元に入力することを特徴とするパラメータ管理装置。
【請求項１１】
前記請求項９記載のパラメータ管理装置は、
接続されたＸ線画像撮影装置の起動時に、マスタとするＸ線画像撮影装置のパラメータを現在選択されている管理部の情報を元に出力することを特徴とするパラメータ管理装置。
【請求項１２】
前記請求項９記載のパラメータ管理装置は、
接続されたＸ線画像撮影装置の要求により、Ｘ線画像撮影装置のパラメータを現在選択されている管理部の情報を元に入力することを特徴とするパラメータ管理装置。
【請求項１３】
前記請求項９記載のパラメータ管理装置は、
接続されたＸ線画像撮影装置の要求により、マスタとするＸ線画像撮影装置のパラメータを現在選択されている管理部の情報を元に出力することを特徴とするパラメータ管理装置。
【請求項１４】
少なくとも１以上のＸ線画像撮影装置が接続されたパラメータ管理方法において、
複数のＸ線画像撮影装置のパラメータを読み込む入力ステップ、マスタとするパラメータを複数のＸ線画像撮影装置に転送する出力ステップ、特定の装置のパラメータをマスタと指定する指定ステップを備えることを特徴とするＸ線画像撮影装置のパラメータ管理方法。
【請求項１５】
前記請求項１４記載のパラメータ管理方法は、
接続されたＸ線画像撮影装置の起動時にＸ線画像撮影装置のパラメータを入力するステップを有することを特徴とするＸ線画像撮影装置のパラメータ管理方法。
【請求項１６】
前記請求項１４記載のパラメータ管理方法は、
接続されたＸ線画像撮影装置の起動時にマスタとするＸ線画像撮影装置のパラメータを出力するステップを有することを特徴とするＸ線画像撮影装置のパラメータ管理方法。
【請求項１７】
前記請求項１４記載のパラメータ管理方法は、
接続されたＸ線画像撮影装置の要求によりＸ線画像撮影装置のパラメータを入力するステップを有することを特徴とするＸ線画像撮影装置のパラメータ管理方法。
【請求項１８】
前記請求項１４記載のパラメータ管理方法は、
接続されたＸ線画像撮影装置の要求によりマスタとするＸ線画像撮影装置のパラメータを出力するステップを有することを特徴とするＸ線画像撮影装置のパラメータ管理方法。
【請求項１９】
前記請求項１４記載のパラメータ管理方法は、
接続されたＸ線画像撮影装置の要求によりマスタとするＸ線画像撮影装置を変更するステップを有することを特徴とするＸ線画像撮影装置のパラメータ管理方法。
【請求項２０】
前記請求項１４記載のパラメータ管理方法は、
マスタとするパラメータを出力する装置を指定する、出力管理部に指定されたＸ線画像撮影装置に対してマスタとするパラメータを出力するステップを有することを特徴とするＸ線画像撮影装置のパラメータ管理方法。
【請求項２１】
前記請求項１４記載のパラメータ管理方法は、
１以上のパラメータから構成されるパラメータ群毎にマスタとする装置を指定する、マスタパラメータ管理部に指定されたマスタとする装置からパラメータを読み込むステップを有することを特徴とするＸ線画像撮影装置のパラメータ管理方法。
【請求項２２】
少なくとも２以上のＸ線画像撮影装置が接続されたパラメータ管理方法において、
複数のＸ線画像撮影装置のパラメータを読み込む入力ステップ、マスタとするパラメータを複数のＸ線画像撮影装置に転送する出力ステップ、特定の装置のパラメータをマスタと指定する指定ステップを備えるとともに、少なくとも１以上のＸ線画像撮影装置に対して、マスタとする装置の情報を管理する管理ステップを複数持ち、管理部の切り替えステップを持つことを特徴とするＸ線画像撮影装置のパラメータ管理方法。
【請求項２３】
前記請求項２２記載のパラメータ管理方法は、
接続されたＸ線画像撮影装置の起動時に、Ｘ線画像撮影装置のパラメータを現在選択されている管理部の情報を元に入力するステップを有することを特徴とするＸ線画像撮影装置のパラメータ管理方法。
【請求項２４】
前記請求項２２記載のパラメータ管理方法は、
接続されたＸ線画像撮影装置の起動時に、マスタとするＸ線画像撮影装置のパラメータを現在選択されている管理部の情報を元に出力するステップを有することを特徴とするＸ線画像撮影装置のパラメータ管理方法。
【請求項２５】
前記請求項２２記載のパラメータ管理方法は、
接続されたＸ線画像撮影装置の要求により、Ｘ線画像撮影装置のパラメータを現在選択されている管理部の情報を元に入力することを特徴とするＸ線画像撮影装置のパラメータ管理方法。
【請求項２６】
前記請求項２２記載のパラメータ管理方法は、
接続されたＸ線画像撮影装置の要求により、マスタとするＸ線画像撮影装置のパラメータを現在選択されている管理部の情報を元に出力するステップを有することを特徴とするＸ線画像撮影装置のパラメータ管理方法。
【請求項２７】
１以上のパラメータから構成されるパラメータ群にマスタ、スレーブを識別する符号を格納する領域と、特定のパラメータ群をマスタとする指定部と、スレーブとなるパラメータ群に対して、更新情報を格納する領域を設け、少なくとも２以上の相互に接続されたＸ線画像撮影装置において、
マスタとなるパラメータ群を複数のＸ線画像撮影装置の前記、更新情報を格納する領域に出力する方法と、前記、更新情報を格納する領域からマスタとなるパラメータ群を入力し、保持するパラメータを更新する方法を持つとともに、スレーブとなるパラメータ群を更新するタイミングを制御する更新タイミング制御方法を有することを特徴とするＸ線画像撮影装置のパラメータ管理方法。
【請求項２８】
前記請求項２７記載のパラメータ管理方法は、
起動時に、マスタとなるパラメータ群を複数のＸ線画像撮影装置の、請求項２７記載の更新情報を格納する領域に出力する方法を有することを特徴とするＸ線画像撮影装置のパラメータ管理方法。
【請求項２９】
前記請求項２７記載のパラメータ管理方法は、
起動時に、請求項２７記載の更新情報を格納する領域からマスタとなるパラメータ群を入力する方法を有することを特徴とするＸ線画像撮影装置のパラメータ管理方法。
【請求項３０】
前記請求項２７記載のパラメータ管理方法は、
接続されたＸ線画像撮影装置の要求によりマスタとなるパラメータ群を複数のＸ線画像撮影装置の、請求項２７記載の更新情報を格納する領域に出力する方法を有することを特徴とするＸ線画像撮影装置のパラメータ管理方法。
【請求項３１】
前記請求項２７記載のパラメータ管理方法は、
前記請求項２７記載の更新タイミング制御方法からの指示により請求項２７記載の更新情報を格納する領域からマスタとなるパラメータ群を入力する方法を有することを特徴とするＸ線画像撮影装置のパラメータ管理方法。
【発明の詳細な説明】
【０００１】
【発明の属する技術分野】
本発明は、Ｘ線画像撮影装置のパラメータ管理方法及びパラメータ管理装置に関し、詳細にはＸ線画像撮影装置に設定された撮影条件、画像処理、画像出力、アノテーション等のパラメータの管理方法、及びパラメータを管理するパラメータ管理装置に関する。
【０００２】
【従来の技術】
医療診断を目的としたＸ線撮影装置としては、Ｘ線検出部に増感紙とフィルムを組み合わせたＸ線写真方式に代わって、Ｘ線画像をディジタル的に検出・生成する手法が最近普及してきている。代表的な方式の一つに、検出デバイスに平面センサパネルを使ったＸ線画像取得方法がある。これは、Ｘ線に対して感度を持ち、検出したＸ線の強度に応じた電気信号に変換・出力する固体撮像素子や、或いはＸ線のエネルギーを吸収し、それに応じた強度の蛍光を発する蛍光体と可視光に感度を持ちその強度に応じた電気信号に変換する光電変換素子を組み合わせたユニットを利用して、これらの素子からのアナログ信号をＡ／Ｄ変換によってディジタル化して取り込む方法である。
【０００３】
この様な、ディジタルＸ線撮影装置（以下Ｘ線撮影装置と称する）は、Ｘ線透過線量に応じた電気量を検出しディジタル量に変換する検出デバイスを含む検査モジュールとこの検査モジュールとＸ線発生装置を制御する為の制御装置とで構成される。この、Ｘ線撮影装置と撮影した画像を表示するモニタ或いはプリンタ、及びＸ線発生装置を組み合わせてＸ線撮影システムと称することが多い。この様なＸ線撮影システムにおいては、検査モジュールからのディジタル画像データは制御装置に送られ、そこで各種画像処理が行われて、医師が診断するためのＸ線ディジタル画像を得る。作成されたディジタル画像は、必要に応じてプリンタからフィルムに出力したり、モニタに表示して診断が行われる。
【０００４】
図２７は、従来のＸ線撮影システムを示している。１００はＸ線を照射するＸ線管球であり、Ｘ線管球１００には図示しないＸ線照射制御を行うＸ線発生装置、およびＸ線発生装置の操作卓が接続されている。１０１は、被験者１０７を透過してきたＸ線を検出する検出デバイスである。１０２は、Ｘ線撮影システムの制御部であり、検出デバイス１０１より得られたディジタル画像データを取得して、所望の画像処理を施し、ネットワーク１０６を介して、指定された画像サーバ１０３、モニタ１０４、プリンタ１０５に出力する。Ｘ線撮影システムの制御部１０２は、Ｘ線撮影システム操作・入力・表示機能をもち、システムの状態やメッセージを表示すると共に、情報の入力や操作を行う。検出デバイス１０１およびＸ線撮影システムの制御部１０２によってＸ線画像撮影装置２が構成される。
【０００５】
医師、または、放射線技師は、患者の名前を確認した後で、Ｘ線撮影システムの制御部１０２を使用して、患者の情報（ＩＤ、氏名、生年月日等）を入力する。次に、撮影する部位に応じて、撮影条件（管電流、管電圧、照射時間、フォトタイマの採光野、絞りの大きさ、管球位置等）を入力するとともに、画像処理パラメータ、画像出力パラメータ、アノテーションパラメータ等を設定する。撮影条件とは、撮影に関わる各種条件のことで、Ｘ線照射の条件である管電圧、管電流、照射時間、管球の絞りの大きさ、管球の位置などである。アノテーションは、画像の中に文字や記号を埋め込む事である。アノテーションパラメータは、この表示内容やレイアウトを規定している。これらのパラメータを個別に設定するのは煩わしいので、通常、撮影を行う部位ごと、あるいは画像を出力するモニタ、プリンタごとに、あらかじめ複数設定しておき、撮影時に現在設定されている複数の設定から必要な設定を選択するようになっている。このようにしてＸ線撮影システムの設定が終わった後に、患者の整位を行い、図示しないＸ線発生装置の操作卓に接続されている、ばくしゃスイッチを押してＸ線撮影を行う。ばくしゃスイッチを押すと、Ｘ線管球１００よりＸ線が検出デバイス１０１に向かって照射される。Ｘ線管球１００より放射されたＸ線は被検者１０７である患者を透過して検出デバイス１０１でＸ線を電気量に変換して、アンプで増幅したのちＡ／Ｄ変換等の信号処理を施しディジタル画像としてＸ線撮影システムの制御部１０２に取り込む。Ｘ線撮影システムの制御部１０２に取り込んだ画像は、さらに諧調処理、強調処理等の様々な画像処理が施されて、Ｘ線撮影システムの制御部１０２の表示部に表示される。技師は、この画像を診て再撮影の必要がなければ、次の撮影を行うか、あるいは撮影を終了する。
【０００６】
撮影を終了すると、先に設定された、画像出力の為のパラメータ、アノテーションパラメータにより、出力される。
【０００７】
以上のようにして撮影が行われ撮影画像が得られる。
【０００８】
前記、撮影条件、画像処理、画像出力、アノテーション等のパラメータは、代表的な撮影方法はほぼ決まっているため、運用初期の標準的なパラメータというものが存在するが、運用中、必要に応じてユーザがパラメータを変更して保存したり、パラメータを新たに作成する等、編集が可能である。
【０００９】
以上のような構成において、従来の放射線画像処理システムにおいては１台の装置に複数の画像読み取り装置を接続し、複数の画像読み取り装置から読み取った画像を単一のパラメータによって処理するよう構成したものがある（例えば、特許文献１参照。）。
【００１０】
また、複数の画像読み取り装置が接続された画像処理装置において、装置内に複数種類のパラメータを保存する領域を設け、必要に応じて装置内のパラメータを選択して画像処理を行う構成としているものもある。（例えば特許文献２参照。）。
【００１１】
【特許文献１】
特開２００２−１６３６３３号公報（第４−９頁、第１図）
【特許文献２】
特開２００２−１５７５８０号公報（第３−５頁、第１図）
【００１２】
【発明が解決しようとする課題】
ところで、ディジタルＸ線画像撮影装置の普及に伴って、複数の装置が同一の場所で使用されることが増えてきたが、個々のＸ線画像撮影装置でユーザがパラメータの変更を行った場合に、従来の構成ではパラメータを個々の装置を構成しているＸ線撮影システムの制御部１０２が管理しているために、変更結果を複数の装置間で共有することができず、それぞれのＸ線画像撮影装置に対してパラメータの編集作業を行う必要があり、作業効率が悪いという問題が発生していた。
【００１３】
そこで、本発明は複数のＸ線画像撮影装置において特定の装置のパラメータをマスタとして、他の装置はマスタとなるパラメータで現在保持しているパラメータを更新することにより、パラメータの変更結果を複数の装置間で共有することができ、作業効率を向上させることができる、Ｘ線画像撮影装置のパラメータの管理方法および、パラメータを管理する管理装置を提供することを目的とする。
【００１４】
【課題を解決するための手段】
上記目的を達成するために、本発明のＸ線画像撮影装置のパラメータ管理方法及びパラメータ管理装置は、以下（１）〜（３１）の構成を備える。
【００１５】
（１）少なくとも１以上のＸ線画像撮影装置が接続されたパラメータ管理装置において、
複数のＸ線画像撮影装置のパラメータを読み込む入力部、マスタとするパラメータを複数のＸ線画像撮影装置に転送する出力部、特定の装置のパラメータをマスタと指定する指定部を備えることを特徴とするパラメータ管理装置。
【００１６】
（２）接続されたＸ線画像撮影装置の起動時にＸ線画像撮影装置のパラメータを入力することを特徴とする上記（１）記載のパラメータ管理装置。
【００１７】
（３）接続されたＸ線画像撮影装置の起動時にマスタとするＸ線画像撮影装置のパラメータを出力することを特徴とする上記（１）記載のパラメータ管理装置。
【００１８】
（４）接続されたＸ線画像撮影装置の要求によりＸ線画像撮影装置のパラメータを入力することを特徴とする上記（１）記載のパラメータ管理装置。
【００１９】
（５）接続されたＸ線画像撮影装置の要求によりマスタとするＸ線画像撮影装置のパラメータを出力することを特徴とする上記（１）記載のパラメータ管理装置。
【００２０】
（６）接続されたＸ線画像撮影装置の要求によりマスタとするＸ線画像撮影装置を変更することを特徴とする上記（１）記載のパラメータ管理装置。
【００２１】
（７）マスタとするパラメータを出力する装置を指定する、出力管理部を備え、該出力管理部に指定されたＸ線画像撮影装置に対してマスタとするパラメータを出力することを特徴とする上記（１）記載のパラメータ管理装置。
【００２２】
（８）１以上のパラメータから構成されるパラメータ群毎にマスタとする装置を指定するマスタパラメータ管理部を備え、該マスタパラメータ管理部に指定されたマスタとする装置からパラメータを読み込むことを特徴とする上記（１）記載のパラメータ管理装置。
【００２３】
（９）少なくとも２以上のＸ線画像撮影装置が接続されたパラメータ管理装置において、
複数のＸ線画像撮影装置のパラメータを読み込む入力部、マスタとするパラメータを複数のＸ線画像撮影装置に転送する出力部、特定の装置のパラメータをマスタと指定する指定部を備えるとともに、少なくとも１以上のＸ線画像撮影装置に対して、マスタとする装置の情報を管理する管理部を複数持ち、管理部の切り替え手段を持つことを特徴とするパラメータ管理装置。
【００２４】
（１０）接続されたＸ線画像撮影装置の起動時に、Ｘ線画像撮影装置のパラメータを現在選択されている管理部の情報を元に入力することを特徴とする上記（９）記載のパラメータ管理装置。
【００２５】
（１１）接続されたＸ線画像撮影装置の起動時に、マスタとするＸ線画像撮影装置のパラメータを現在選択されている管理部の情報を元に出力することを特徴とする上記（９）記載のパラメータ管理装置。
【００２６】
（１２）接続されたＸ線画像撮影装置の要求により、Ｘ線画像撮影装置のパラメータを現在選択されている管理部の情報を元に入力することを特徴とする上記（９）記載のパラメータ管理装置。
【００２７】
（１３）接続されたＸ線画像撮影装置の要求により、マスタとするＸ線画像撮影装置のパラメータを現在選択されている管理部の情報を元に出力することを特徴とする上記（９）記載のパラメータ管理装置。
【００２８】
（１４）少なくとも１以上のＸ線画像撮影装置が接続されたパラメータ管理方法において、
複数のＸ線画像撮影装置のパラメータを読み込む入力ステップ、マスタとするパラメータを複数のＸ線画像撮影装置に転送する出力ステップ、特定の装置のパラメータをマスタと指定する指定ステップを備えることを特徴とするＸ線画像撮影装置のパラメータ管理方法。
【００２９】
（１５）接続されたＸ線画像撮影装置の起動時にＸ線画像撮影装置のパラメータを入力するステップを有することを特徴とする上記（１４）記載のＸ線画像撮影装置のパラメータ管理方法。
【００３０】
（１６）接続されたＸ線画像撮影装置の起動時にマスタとするＸ線画像撮影装置のパラメータを出力するステップを有することを特徴とする上記（１４）記載のＸ線画像撮影装置のパラメータ管理方法。
【００３１】
（１７）接続されたＸ線画像撮影装置の要求によりＸ線画像撮影装置のパラメータを入力するステップを有することを特徴とする上記（１４）記載のＸ線画像撮影装置のパラメータ管理方法。
【００３２】
（１８）接続されたＸ線画像撮影装置の要求によりマスタとするＸ線画像撮影装置のパラメータを出力するステップを有することを特徴とする上記（１４）記載のＸ線画像撮影装置のパラメータ管理方法。
【００３３】
（１９）接続されたＸ線画像撮影装置の要求によりマスタとするＸ線画像撮影装置を変更するステップを有することを特徴とする上記（１４）記載のＸ線画像撮影装置のパラメータ管理方法。
【００３４】
（２０）マスタとするパラメータを出力する装置を指定する、出力管理部に指定されたＸ線画像撮影装置に対してマスタとするパラメータを出力するステップを有することを特徴とする上記（１４）記載のＸ線画像撮影装置のパラメータ管理方法。
【００３５】
（２１）１以上のパラメータから構成されるパラメータ群毎にマスタとする装置を指定する、マスタパラメータ管理部に指定されたマスタとする装置からパラメータを読み込むステップを有することを特徴とする上記（１４）記載のＸ線画像撮影装置のパラメータ管理方法。
【００３６】
（２２）少なくとも２以上のＸ線画像撮影装置が接続されたパラメータ管理方法において、
複数のＸ線画像撮影装置のパラメータを読み込む入力ステップ、マスタとするパラメータを複数のＸ線画像撮影装置に転送する出力ステップ、特定の装置のパラメータをマスタと指定する指定ステップを備えるとともに、少なくとも１以上のＸ線画像撮影装置に対して、マスタとする装置の情報を管理する管理ステップを複数持ち、管理部の切り替えステップを持つことを特徴とするＸ線画像撮影装置のパラメータ管理方法。
【００３７】
（２３）接続されたＸ線画像撮影装置の起動時に、Ｘ線画像撮影装置のパラメータを現在選択されている管理部の情報を元に入力するステップを有することを特徴とする上記（２２）記載のＸ線画像撮影装置のパラメータ管理方法。
【００３８】
（２４）接続されたＸ線画像撮影装置の起動時に、マスタとするＸ線画像撮影装置のパラメータを現在選択されている管理部の情報を元に出力するステップを有することを特徴とする上記（２２）記載のＸ線画像撮影装置のパラメータ管理方法。
【００３９】
（２５）接続されたＸ線画像撮影装置の要求により、Ｘ線画像撮影装置のパラメータを現在選択されている管理部の情報を元に入力することを特徴とする上記（２２）記載のＸ線画像撮影装置のパラメータ管理方法。
【００４０】
（２６）接続されたＸ線画像撮影装置の要求により、マスタとするＸ線画像撮影装置のパラメータを現在選択されている管理部の情報を元に出力するステップを有することを特徴とする上記（２２）記載のＸ線画像撮影装置のパラメータ管理方法。
【００４１】
（２７）１以上のパラメータから構成されるパラメータ群にマスタ、スレーブを識別する符号を格納する領域と、特定のパラメータ群をマスタとする指定部と、スレーブとなるパラメータ群に対して、更新情報を格納する領域を設け、少なくとも２以上の相互に接続されたＸ線画像撮影装置において、
マスタとなるパラメータ群を複数のＸ線画像撮影装置の前記、更新情報を格納する領域に出力する方法と、前記、更新情報を格納する領域からマスタとなるパラメータ群を入力し、保持するパラメータを更新する方法を持つとともに、スレーブとなるパラメータ群を更新するタイミングを制御する更新タイミング制御方法を有することを特徴とするＸ線画像撮影装置のパラメータ管理方法。
【００４２】
（２８）起動時に、マスタとなるパラメータ群を複数のＸ線画像撮影装置の、請求項２７記載の更新情報を格納する領域に出力する方法を有することを特徴とする上記（２７）記載のＸ線画像撮影装置のパラメータ管理方法。
【００４３】
（２９）起動時に、上記（２７）記載の更新情報を格納する領域からマスタとなるパラメータ群を入力する方法を有することを特徴とする上記（２７）記載のＸ線画像撮影装置のパラメータ管理方法。
【００４４】
（３０）接続されたＸ線画像撮影装置の要求によりマスタとなるパラメータ群を複数のＸ線画像撮影装置の、上記（２７）記載の更新情報を格納する領域に出力する方法を有することを特徴とする上記（２７）記載のＸ線画像撮影装置のパラメータ管理方法。
【００４５】
（３１）上記（２７）記載の更新タイミング制御方法からの指示により上記（２７）記載の更新情報を格納する領域からマスタとなるパラメータ群を入力する方法を有することを特徴とする上記（２７）記載のＸ線画像撮影装置のパラメータ管理方法。
【００４６】
【発明の実施の形態】
以下、図面を参照して本発明の実施例を説明する。
【００４７】
【実施例１】
図１は本発明の第１の実施形態に係るパラメータ管理装置を含む医療画像撮影システムの構成を表す図である。図１に示すようにパラメータ管理装置（以下管理装置と称する）１は、Ｘ線画像撮影装置（以下撮影装置と称する）２ａ，２ｂ，２ｃ，…、モニタ１０４ａ，１０４ｂ，…、プリンタ１０５ａ，１０５ｂ，…とネットワーク１０６を介して接続されており、撮影装置２ａ，２ｂ，２ｃ，…で撮影されたＸ線画像は、撮影を行った撮影装置においてモニタ、プリンタへの出力のために最適な画像に変換されたのち、モニタ１０４ａ，１０４ｂ，…、プリンタ１０５ａ，１０５ｂ，…へ、ネットワーク１０６を介して出力される。管理装置１はマスタ指定された撮影装置のパラメータを保存するとともに、マスタ指定された撮影装置からのパラメータの入力、撮影装置２ａ，２ｂ，２ｃ，…へのパラメータの出力を行う。マスタ指定された撮影装置とは、撮影装置２ａ，２ｂ，２ｃ，…の内、撮影装置のパラメータが変更された場合に、ネットワーク１０６に接続されたすべての撮影装置２ａ，２ｂ，２ｃ，…に変更結果が反映される装置のことである。
【００４８】
次に管理装置１が保持する撮影装置のパラメータについて図２を用い説明を行う。図２は管理装置１が保持する撮影装置のパラメータおよび、パラメータの入出力、マスタとなる撮影装置の変更を行う操作画面の例であり、１１０は保持しているパラメータの一覧を表示するパラメータ表示リストであり、該リスト１１０は、識別ＩＤ、撮影部位の名称、画像処理の種類、出力プリンタ、出力サーバ、出力モニタの情報から構成され、リスト上の１行が、１つの撮影部位に対応する撮影パラメータブロックとなっている。
【００４９】
なお、本図におけるパラメータ表示リスト１１０においては撮影パラメータブロックを前記、識別ＩＤ、撮影部位の名称、画像処理の種類、出力プリンタ、出力サーバ、出力モニタの情報から構成しているが、撮影パラメータは本構成に限定されるものではなく、撮影装置の動作設定にかかわるその他のパラメータを含めることも、前記、撮影パラメータのうち、モニタが１台しか接続されていない等の理由でパラメータの共有が不要なパラメータを削除したものでもよい。
【００５０】
１１１はマスタ指定する撮影装置の指定を行うためのマスタ装置選択リスト、１１２はマスタ指定された撮影装置からパラメータを入力するマスタパラメータ入力ボタン、１１３は管理装置が保持するパラメータを撮影装置に出力するためのマスタパラメータ出力ボタンである。
【００５１】
次に図３、および図４を用い、管理装置１がマスタ指定された撮影装置のパラメータを入力、あるいは管理装置１が保持するパラメータを撮影装置２ａ，２ｂ，２ｃ，…に出力する動作について説明する。
【００５２】
図３は管理装置１がマスタ指定された撮影装置のパラメータを入力する場合の動作を表すフローチャートである。Ｓ２００において、図２、１１２に示すマスタパラメータ入力ボタンが押されたことを検知すると、管理装置１はＳ２０１において図２、１１１に示すマスタ装置選択リストで現在選択されている撮影装置から、該装置が保持しているすべての撮影部位に対応する撮影パラメータブロックを入力する。次に、Ｓ２０２において管理装置１が現在保持しているパラメータリストデータをＳ２０１で入力した撮影パラメータブロックに置き換え、パラメータリストを更新して処理を終了する。
【００５３】
図４は管理装置１が保持するパラメータを撮影装置２ａ，２ｂ，２ｃ，…に出力する動作を表すフローチャートである。Ｓ２１０において図２、１１３に示すマスタパラメータ出力ボタンが押されたことを検知すると、管理装置１はＳ２１１において現在ネットワーク１０６に接続されている撮影装置を検索する。撮影装置が検出されると、Ｓ２１２において管理装置１は、現在保持しているすべての撮影パラメータブロックを検出された撮影装置に出力する。Ｓ２１３においてネットワーク１０６に接続されているすべての撮影装置を検出したかを判定し、未検出の撮影装置が存在する場合にはＳ２１１以降の処理を繰り返す。Ｓ２１３における判定ですべての撮影装置を検出したと判断した場合には、処理を終了する。
【００５４】
撮影装置は、管理装置１が出力した撮影パラメータブロックを受け取ると、撮影パラメータブロックの識別ＩＤを元に、更新すべき撮影パラメータブロックを特定し、管理装置１が出力した撮影パラメータブロックに含まれるパラメータを更新する。
【００５５】
以上説明した構成、及び処理によれば、複数の撮影装置において特定の撮影装置のパラメータをマスタとして、他の撮影装置はマスタとなるパラメータで現在保持しているパラメータを更新することにより、マスタ指定された撮影装置のパラメータの変更結果を複数の撮影装置間で共有することができ、作業効率を向上させることが可能となる。
【００５６】
【実施例２】
上記実施例１においては、図２、１１２に示すマスタパラメータ入力ボタンおよび１１３に示すマスタパラメータ出力ボタンが押されることによってマスタ指定された撮影装置からのパラメータの入力、管理装置１が保持するパラメータの撮影装置への出力を行っている。しかしながらパラメータの入出力処理を管理装置１が主導となって行っており、撮影装置２ａ，２ｂ，２ｃ，…のパラメータを更新するために、管理装置１を操作する必要があり、マスタ指定された撮影装置のパラメータを変更した場合に、管理装置１上でのパラメータ入出力処理を忘れることにより、撮影装置２ａ，２ｂ，２ｃ，…のパラメータが更新されない場合がある。このため、撮影装置２ａ，２ｂ，２ｃ，…の要求により、管理装置１がパラメータの入出力を行うよう構成することも可能である。
【００５７】
なお本実施形態に係るパラメータ管理装置を含む医療画像撮影システムの構成、及び管理装置１が保持する撮影装置２ａ，２ｂ，２ｃ，…のパラメータは実施例１において説明を行ったものと同一であるので説明を省略する。
【００５８】
図５は撮影装置からの要求によって管理装置１がパラメータの出力する動作を示すフローチャートである。Ｓ２２０において管理装置１が撮影装置からパラメータ要求通知を受け取ると、Ｓ２２１において管理装置１はパラメータ要求通知を受け取った撮影装置に対して管理装置１が保持しているすべての撮影パラメータブロックを出力して処理を終了する。
【００５９】
パラメータ要求通知は図２３に示すように撮影装置の操作画面にパラメータ入力ボタン１２６を設け、ユーザが該ボタン１２６を押したときに管理装置１へ通知するように構成する、あるいは操作の簡略化のため、撮影装置が起動したときに、撮影装置から管理装置１へ通知するように構成してもよい。
【００６０】
図６は撮影装置からの要求によって管理装置１がパラメータの入力を行うとともに、更新されたパラメータを撮影装置に出力する動作を示すフローチャートである。Ｓ２３０において管理装置１が撮影装置からパラメータ変更通知を受け取ると、Ｓ２３１において通知を受け取った撮影装置が、現在マスタ指定されている撮影装置であるかを判断し、マスタ指定されている撮影装置からの通知であると判断すると、Ｓ２３２において通知を受け取った撮影装置が保持するすべての撮影パラメータブロックを入力する。次に、Ｓ２３３において管理装置１が現在保持しているパラメータリストデータをＳ２３２で入力したパラメータに置き換え、パラメータリストを更新する。次にＳ２３４において現在ネットワーク１０６に接続されている撮影装置を検索する。撮影装置が検出されると、Ｓ２３５において管理装置１は現在保持しているすべての撮影パラメータブロックを検出された撮影装置に出力する。Ｓ２３６においてネットワーク１０６に接続されているすべての撮影装置を検出したかを判定し、未検出の撮影装置が存在する場合にはＳ２３４以降の処理を繰り返す。Ｓ２３６における判定ですべての撮影装置を検出したと判断した場合には処理を終了する。
【００６１】
撮影装置は、管理装置１が出力した撮影パラメータブロックを受け取ると、撮影パラメータブロックの識別ＩＤを元に、更新すべき撮影パラメータブロックを特定し、管理装置１が出力した撮影パラメータブロックに含まれるパラメータを更新する。
【００６２】
パラメータ変更通知は図２３に示すように、撮影装置の操作画面にパラメータの出力ボタン１２５を設け、ユーザが該ボタン１２５を押したときに管理装置１へ通知するように構成する、あるいは撮影装置が起動したときに、撮影装置から管理装置１へ通知するように構成してもよい。
【００６３】
以上説明した構成、及び処理によれば、上記実施例１に示す効果に加えて、管理装置１によるパラメータの入出力処理が撮影装置の要求によって行われるため、管理装置１上でパラメータ入出力処理を忘れるなどにより撮影装置のパラメータが更新されないということがなく、確実に撮影装置のパラメータを更新することができる。
【００６４】
【実施例３】
上記実施例１乃至２においては図２、１１１に示すマスタ装置選択リストからマスタとなる撮影装置を指定して、パラメータの入力を行う構成としているが、現在マスタ指定されている撮影装置以外でパラメータの変更を行った結果を撮影装置間で共有するためには、マスタ指定撮影装置を管理装置１上で変更する必要があり、操作が複雑となる。このため、撮影装置からの要求によってマスタ指定撮影装置を変更するように構成することも可能である。
【００６５】
なお本実施形態に係るパラメータ管理装置１を含む医療画像撮影システムの構成、及び管理装置１が保持する撮影装置のパラメータは実施例１において説明を行ったものと同一であるので説明を省略する。
【００６６】
図７は管理装置１が撮影装置からの要求によりマスタ指定撮影装置を変更し、パラメータの入出力を行う動作を示すフローチャートである。
【００６７】
Ｓ２４０において管理装置１が撮影装置からパラメータ変更通知を受け取ると、Ｓ２４１において管理装置１はマスタとなる撮影装置をパラメータ変更通知を受け取った撮影装置に変更する。次にＳ２４２において通知を受け取った撮影装置からすべての撮影パラメータブロックを入力し、Ｓ２４３において管理装置１が現在保持しているパラメータリストデータをＳ２４２で入力したパラメータに置き換え、パラメータリストを更新する。次にＳ２４４において現在ネットワーク１０６に接続されている撮影装置を検索する。撮影装置が検出されると、Ｓ２４５において管理装置１は現在保持しているすべての撮影パラメータブロックを検出された撮影装置に出力する。Ｓ２４６においてネットワーク１０６に接続されているすべての撮影装置を検出したかを判定し、未検出の撮影装置が存在する場合にはＳ２４４以降の処理を繰り返す。Ｓ２４６における判定ですべての撮影装置を検出したと判断した場合には処理を終了する。
【００６８】
撮影装置は、管理装置１が出力した撮影パラメータブロックを受け取ると、撮影パラメータブロックの識別ＩＤを元に、更新すべき撮影パラメータブロックを特定し、管理装置１が出力した撮影パラメータブロックに含まれるパラメータを更新する。
【００６９】
Ｓ２４０において管理装置１が受信するパラメータ変更通知は、撮影装置でパラメータが変更されたときに管理装置１へ通知するように構成する。
【００７０】
以上説明した構成、及び処理によれば、上記実施例１に示す効果に加えて、マスタ指定する撮影装置を撮影装置の要求によって変更することができ、管理装置１が管理するどの撮影装置でパラメータの変更を行った場合でも、パラメータの変更結果を撮影装置間で共有することができる。
【００７１】
【実施例４】
上記実施例１乃至３では実施例１で説明を行ったパラメータ管理装置１を含む医療画像撮影システムの構成においてネットワーク１０６に接続されたすべての撮影装置２ａ，２ｂ，２ｃ，…に対して１つのマスタ撮影装置を指定し、パラメータの共有を行っているが、一般撮影用の撮影装置と、小児専用など特定の撮影のみを行う撮影装置を同一のネットワーク上に接続し、各々の装置で別々のパラメータで撮影を行いたい場合など、ネットワーク１０６に接続された一部の撮影装置において、パラメータの共有を行わない場合も考えられる。このような場合に、ネットワーク１０６に接続された一部の撮影装置のみパラメータを共有させるよう構成することも可能である。
【００７２】
なお本実施形態に係るパラメータ管理装置を含む医療画像撮影システムの構成は実施例１において説明を行ったものと同一であるので説明を省略する。
【００７３】
図８にネットワーク１０６に接続された一部の撮影装置のみパラメータを共有させるよう構成した場合の管理装置１が保持する撮影装置のパラメータおよび、パラメータの入出力、マスタとなる撮影装置の変更を行う操作画面の例を示す。
【００７４】
なお、図８中の項目の内、実施例１中の図２ですでに説明した項目については同一符号を付し、説明を省略する。
【００７５】
図８中、１１４はネットワーク１０６に接続され、パラメータを共有していない撮影装置のリストであるグループ追加装置リストを示し、該リスト１１４から装置を選択後、１１５に示す装置追加ボタンを押すと、選択された装置がグループ追加装置リスト１１４から削除され、１１６に示すパラメータを共有する装置のリストであるグループ装置リストに追加される。グループ装置リスト１１６内にリストアップされた装置は、マスタ装置選択リスト１１１で選択したマスタ撮影装置とパラメータが共有され、マスタ撮影装置のパラメータの変更によって、それぞれの撮影装置のパラメータが変更される。グループ装置リスト１１６から装置を選択し、１１７に示す装置削除ボタンを押すと、選択された装置がグループ装置リスト１１６から削除され、パラメータを共有しない設定となり、グループ追加装置リスト１１４に追加される。
【００７６】
次に、図９、および図１０を用い、管理装置１がマスタ指定された撮影装置のパラメータを入力、あるいは管理装置１が保持するパラメータを撮影装置に出力する動作について説明する。
【００７７】
図９は管理装置１がマスタ指定された撮影装置のパラメータを入力する処理を示すフローチャートである。
【００７８】
Ｓ２５０において、図８、１１２に示すマスタパラメータ入力ボタンが押されたことを検知すると、Ｓ２５１において管理装置１は図８、１１１に示すマスタ装置選択リストで現在選択されている撮影装置が保持しているすべての撮影パラメータブロックを入力する。次に、Ｓ２５２において管理装置１が現在保持しているパラメータリストデータをＳ２５１で入力したパラメータに置き換え、パラメータリストを更新して処理を終了する。
【００７９】
図１０は管理装置１が保持するパラメータを図８、１１６に示すグループ装置リスト内にリストアップされた撮影装置に出力する動作を表すフローチャートである。Ｓ２６０において図８、１１３に示すマスタパラメータ出力ボタンが押されたことを検知すると、管理装置１はＳ２６１において現在ネットワーク１０６に接続されている撮影装置を検索する。撮影装置が検出されると、Ｓ２６２において接続されているすべての撮影装置を検出したかを判定し、未検出の撮影装置が存在しない場合には処理を終了する。Ｓ２６２における判断で、すべての撮影装置を検出していない場合には、Ｓ２６３において管理装置１は検出した撮影装置がパラメータを共有するグループに属しているか、すなわち図８、１１６に示すグループ装置リスト内にリストアップされている撮影装置であるかを判定する。Ｓ２６３における判定で、図８、１１６に示すグループ装置リスト内にリストアップされている撮影装置である場合には、Ｓ２６４において現在保持しているすべての撮影パラメータブロックを検出された撮影装置に出力し、Ｓ２６１以降の処理を繰り返す。Ｓ２６３における判定で、図８、１１６に示すグループ装置リスト内にリストアップされている撮影装置でない場合には、Ｓ２６４の処理を行わず、Ｓ２６１以降の処理を繰り返す。
【００８０】
撮影装置は、管理装置１が出力した撮影パラメータブロックを受け取ると、撮影パラメータブロックの識別ＩＤを元に、更新すべき撮影パラメータブロックを特定し、管理装置１が出力した撮影パラメータブロックに含まれるパラメータを更新する。
【００８１】
以上説明した構成、及び処理によれば、パラメータ管理装置によって管理される複数の撮影装置においてパラメータを共有する撮影装置のグループと、パラメータを共有しない撮影装置のグループを作成することができるとともに、各グループの撮影装置を入れ替えることが可能となる。
【００８２】
【実施例５】
上記実施例１乃至４では実施例１で説明を行ったパラメータ管理装置１を含む医療画像撮影システムの構成において特定の撮影装置をマスタ撮影装置として指定し、該撮影装置が保持するすべてのパラメータを他の撮影装置で共有するよう構成しているが、胸部撮影用装置、腹部撮影用装置等、個々の撮影装置が特定の部位を撮影するよう設定されている場合に撮影部位毎に、マスタとなる撮影装置を変更することも考えられる。このため、管理装置が保持する撮影パラメータブロックにおいて、撮影部位毎にマスタとなる撮影装置を設定するよう構成することも可能である。
【００８３】
なお本実施形態に係るパラメータ管理装置を含む医療画像撮影システムの構成は実施例１において説明を行ったものと同一であるので説明を省略する。
【００８４】
図１１にパラメータのブロック毎にマスタとなる撮影装置を設定するよう構成した場合の管理装置１が保持する撮影装置のパラメータおよび、パラメータの入出力、マスタとなる撮影装置の変更を行う操作画面の例を示す。
【００８５】
なお、図１１中の項目の内、実施例１中の図２ですでに説明した項目については同一符号を付し、説明を省略する。
【００８６】
図１１中、１２２は管理装置が保持するマスタパラメータの一覧を示すマスタパラメータ表示リストであり、図２、１１０に示すパラメータ表示リストに、各撮影パラメータブロックのマスタとなる撮影装置の識別情報を追加した構成となっている。１１８は１１９に示す参照パラメータ表示リストにパラメータを表示する撮影装置を指定するためのパラメータ参照装置選択リストであり、該リスト１１８で選択した撮影装置が保持するパラメータが、参照パラメータ表示リスト１１９に表示されるよう構成している。参照パラメータ表示リスト１１９に表示される情報は図２、１１０で示すパラメータ表示リストと同一の構成となっている。１２１はパラメータ追加ボタンであり、参照パラメータ表示リスト１１９でパラメータを選択後、ボタンを押すことで、パラメータとともに、パラメータを保持する撮影装置の識別情報がマスタパラメータ表示リスト１２２に追加されるよう構成している。１２０はパラメータ削除ボタンであり、マスタパラメータ表示リスト１２２でパラメータを選択後、ボタンを押すことで、選択されたパラメータがマスタパラメータ表示リスト１２２から削除されるよう構成している。
【００８７】
次に、図１２、および図１３を用い、管理装置１がマスタ指定された撮影装置のパラメータを入力、あるいは管理装置１が保持するパラメータを撮影装置に出力する動作について説明する。
【００８８】
なお、以下の説明では、撮影装置が保持する撮影パラメータブロックは、前記、実施例１乃至４で説明したものと同一のものとし、管理装置１が保持する撮影パラメータブロックは、前記、実施例１乃至４で説明したものに、撮影パラメータブロックのマスタとなる撮影装置の識別情報を追加したものとして説明する。
【００８９】
図１２は管理装置１がマスタ指定された撮影装置のパラメータを入力する処理を示すフローチャートである。
【００９０】
Ｓ２７０において、図１１、１１２に示すマスタパラメータ入力ボタンが押されたことを検知すると、Ｓ２７１において管理装置１は図１１、１２２に示すマスタパラメータ表示リストから１部位の撮影パラメータブロックとして１行分の撮影パラメータブロックを取得する。Ｓ２７２において管理装置１はＳ２７１で取得した撮影パラメータブロックからマスタ撮影装置の識別情報を取得し、マスタ撮影装置から、撮影装置が保持する撮影パラメータブロックのうち、識別ＩＤが同一の撮影パラメータブロックを入力する。次に、Ｓ２７３において管理装置１はＳ２７２で取得したマスタ撮影装置の撮影パラメータブロックにマスタ撮影装置の識別情報を付加した情報を元に、管理装置１が保持するパラメータリストを更新する。次に、Ｓ２７４において管理装置１は、マスタパラメータ表示リスト１２２のすべての行の撮影パラメータブロックを更新したかを判定し、未更新の撮影パラメータブロックが存在する場合にはＳ２７１以降の処理を繰り返し、未更新のパラメータが存在しない場合にはパラメータ入力処理を終了する。
【００９１】
図１３は管理装置１が保持する撮影パラメータブロックを撮影装置に出力する動作を表すフローチャートである。Ｓ２８０において図１１、１１３に示すマスタパラメータ出力ボタンが押されたことを検知すると、管理装置１はＳ２８１において現在ネットワーク１０６に接続されている撮影装置を検索する。撮影装置が検出されると、Ｓ２８２において管理装置１は現在保持している撮影パラメータブロックからマスタ撮影装置の識別情報を削除した情報を検出された撮影装置に出力する。次にＳ２８３においてネットワーク１０６に接続されているすべての撮影装置２ａ，２ｂ，２ｃ，…を検出したかを判定し、未検出の撮影装置が存在する場合にはＳ２８１以降の処理を繰り返し、未検出の撮影装置が存在しない場合には、パラメータ出力処理を終了する。
【００９２】
撮影装置は、管理装置１が出力した撮影パラメータブロックを受け取ると、撮影パラメータブロックの識別ＩＤを元に、更新すべき撮影パラメータブロックを特定し、管理装置１が出力した撮影パラメータブロックに含まれるパラメータを更新する。
【００９３】
以上説明した構成、及び処理によれば、パラメータ管理装置によって管理される複数の撮影装置においてパラメータ毎にマスタとなる撮影装置を設定することが可能となる。
【００９４】
【実施例６】
医療画像撮影システムの設置においては、プリンタ、モニタを含む複数の撮影装置を内科専用に設置、また別のプリンタ、モニタを含む複数の撮影装置を整形外科専用に設置し、すべての装置をネットワークで接続するといった構成で、設置されることもあり、このような場合に内科用の撮影装置、整形外科用の撮影装置といった撮影部位毎、使用目的毎のグループ単位で複数の撮影装置のパラメータを共有したいという要求がある。この要求を実現するために、各グループに１台の管理装置を設置し、パラメータの共有を行うこともできるが、管理装置が複数必要となり、コストアップ、また管理装置を複数設置するためのスペースの確保といった問題がある。このため、複数のグループを１台の管理装置で管理し、グループを切り替えられるよう構成することも可能である。
【００９５】
図１４は撮影装置、プリンタ、モニタから構成される複数のグループから構成される医療画像撮影システムの構成例を示す図である。図１４においては、Ｘ線画像撮影装置２ａ，２ｂとモニタ１０４ａ、プリンタ１０５ａが１つのグループとなっており、Ｘ線画像撮影装置２ｃ，２ｄとモニタ１０４ｂ、プリンタ１０５ｂが１つのグループとなっていることを示しており、それぞれの機器が、ネットワーク１０６を介して接続されているとともに、各Ｘ線画像撮影装置２ａ，２ｂ，２ｃ，２ｄは管理装置１によってパラメータが管理されている。
【００９６】
図１５及び図１６にネットワーク１０６に接続され、グループとなっている撮影装置に対して、グループ毎にパラメータを共有させるよう構成した場合の管理装置１が保持する撮影装置のパラメータおよび、パラメータの入出力、マスタとなる撮影装置の変更を行う操作画面の例を示す。
【００９７】
なお、図１５、図１６は実施例４、図８で説明した図に、グループ選択リスト１２３を追加したものであり、図中その他の項目については図８と同一である。また、図１５、図１６の違いは、グループ選択リスト１２３で選択されているグループのみであるため、説明は図１５を用いて行う。
【００９８】
グループ選択リスト１２３は撮影装置がどのグループに属しているかを指定、参照するためのリストであり、図１５中１１６のグループ装置リスト中の撮影装置に対してグループ識別名として、グループ名を付加し、複数のグループのパラメータを１つの管理装置上で管理するためのものである。
【００９９】
新たなグループの作成は、グループ選択リスト１２３で新規作成を選択し、装置追加ボタン１１５でグループ装置リスト１１６に撮影装置を追加後、作成したグループのグループ名をグループ選択リスト１２３上で入力することで行う。また、グループの削除は装置削除ボタン１１７でグループ装置リスト１１６からすべての撮影装置を削除することで行う。
【０１００】
次に、図１７、および図１８を用い、管理装置１がマスタ指定された撮影装置のパラメータを入力、あるいは管理装置１が保持するパラメータを撮影装置に出力する動作について説明する。
【０１０１】
なお、以下の説明では、撮影パラメータブロックは、前記、実施例１乃至４で説明したものと同一のものとして説明する。
【０１０２】
図１７は管理装置１がマスタ指定された撮影装置のパラメータを入力する処理を示すフローチャートである。
【０１０３】
Ｓ２９０において、図１５，図１６で、１１２に示すマスタパラメータ入力ボタンが押されたことを検知すると、Ｓ２９１において管理装置１は図１５，図１６で、１１１に示すマスタ装置選択リストで現在選択されている撮影装置が保持する、すべての撮影パラメータブロックを入力する。次に、Ｓ２９２において管理装置１は、現在グループ選択リスト１２３で選択されているグループに関するパラメータリストデータをＳ２９１で入力した撮影パラメータブロックに置き換え、パラメータリストを更新して処理を終了する。
【０１０４】
図１８は管理装置１が保持するパラメータを図１５，図１６で、１１６に示すグループ装置リスト内にリストアップされた撮影装置に出力する動作を表すフローチャートである。Ｓ３００において図１５，図１６で、１１３に示すマスタパラメータ出力ボタンが押されたことを検知すると、管理装置１はＳ３０１において現在ネットワーク１０６に接続されている撮影装置を検索する。撮影装置が検出されると、Ｓ３０２において接続されているすべての撮影装置を検出したかを判定し、未検出の撮影装置が存在しない場合には処理を終了する。Ｓ３０２における判断で、すべての撮影装置を検出していない場合にはＳ３０３において管理装置１は検出した撮影装置がパラメータを共有するグループに属しているか、すなわち図１５，図１６で、１１６に示すグループ装置リスト内にリストアップされている撮影装置であるかを判定する。Ｓ３０３の判定で、図１５，図１６で、１１６に示すグループ装置リスト内にリストアップされている撮影装置である場合には、Ｓ３０４で図１５，図１６で、１１０に示すパラメータ表示リスト内のすべての撮影パラメータブロックを検出された撮影装置に出力し、Ｓ３０１以降の処理を繰り返す。Ｓ３０３の判定で、図１５，図１６で、１１６に示すグループ装置リスト内にリストアップされている撮影装置でない場合には、Ｓ３０４の処理を行わず、Ｓ３０１以降の処理を繰り返す。
【０１０５】
撮影装置は、管理装置１が出力した撮影パラメータブロックを受け取ると、撮影パラメータブロックの識別ＩＤを元に、更新すべき撮影パラメータブロックを特定し、管理装置１が出力した撮影パラメータブロックに含まれるパラメータを更新する。
【０１０６】
以上説明した構成、及び処理によれば、複数の撮影装置から構成されるグループが複数存在する構成において、複数のグループを１台の管理装置で管理することが可能となる。
【０１０７】
【実施例７】
上記実施例６においては、図１５，図１６で、１１２に示すマスタパラメータ入力ボタンおよび１１３に示すマスタパラメータ出力ボタンが押されることによってマスタ指定された撮影装置からのパラメータの入力、管理装置１が保持するパラメータの撮影装置への出力を行っているが、実施例２に示すように、パラメータの入出力処理を管理装置１が主導となって行っており、撮影装置２ａ，２ｂ，２ｃ，…のパラメータを更新するために、管理装置１を操作する必要があり、マスタ指定された撮影装置のパラメータを変更した場合に、管理装置１上でのパラメータ入出力処理を忘れることにより、撮影装置２ａ，２ｂ，２ｃ，…のパラメータが更新されない場合がある。このため、撮影装置２ａ，２ｂ，２ｃ，…の要求により、管理装置１がパラメータの入出力を行うよう構成することも可能である。
【０１０８】
なお本実施形態に係るパラメータ管理装置１を含む医療画像撮影システムの構成は実施例６において説明を行ったものと同一であるので説明を省略する。
【０１０９】
図１９は撮影装置からの要求によって管理装置１がパラメータを出力する動作を示すフローチャートである。Ｓ３１０において管理装置１が撮影装置からパラメータ要求通知を受け取ると、Ｓ３１１において管理装置１はＳ３１０でパラメータ要求通知を受け取った撮影装置が図１５，図１６で１２３に示すグループ選択リストで現在選択されているグループに属しているかを判定する。現在選択されているグループに属している装置であると判断した場合には、次にＳ３１２において管理装置１はパラメータ要求通知を受け取った撮影装置に対して管理装置１が保持している、図１５，図１６で１１０に示すパラメータ表示リストに表示されたすべての撮影パラメータブロックを出力して処理を終了する。Ｓ３１１における判定で現在選択されているグループに属している装置ではないと判断した場合にはＳ３１２の処理を行わず、処理を終了する。パラメータ要求通知は図２３に示すように、撮影装置の操作画面にパラメータの出力ボタン１２５を設け、ユーザが該ボタンを押したときに管理装置１へ通知するように構成する、あるいは操作の簡略化のため、撮影装置が起動したときに、撮影装置から管理装置１へ通知するように構成してもよい。
【０１１０】
図２０は撮影装置からの要求によって管理装置１がパラメータの入力を行うとともに、更新されたパラメータを撮影装置に出力する動作を示すフローチャートである。Ｓ３２０において管理装置１が撮影装置からパラメータ変更通知を受け取ると、Ｓ３２１において管理装置１はＳ３２０でパラメータ要求通知を受け取った撮影装置が、図１５，図１６で１２３に示すグループ選択リストで現在選択されているグループに属しているかを判定する。現在選択されているグループに属している装置ではないと判断した場合には処理を終了する。Ｓ３２１における判定で、現在選択されているグループに属している装置であると判断した場合には、Ｓ３２２において通知を受け取った撮影装置が、図１５，図１６で１１１に示されるマスタ装置選択リストで選択されている、現在グループ内でマスタ指定されている撮影装置であるかを判定する。マスタ指定されている撮影装置からの通知であると判断すると、Ｓ３２３において通知を受け取った撮影装置が保持するすべての撮影パラメータブロックを入力する。次に、Ｓ３２４において管理装置１が現在保持している図１５，図１６で１１０に示すパラメータ表示リストに表示されたすべての撮影パラメータブロックをＳ３２３で入力したパラメータに置き換え、パラメータリストを更新する。次にＳ３２５において現在ネットワーク１０６に接続されている撮影装置を検索する。撮影装置が検出されると、Ｓ３２６において管理装置１は検出された撮影装置が、図１５，図１６で１１６に示すグループ装置リストに表示された、パラメータが更新されたグループに属する撮影装置であるかを判定する。Ｓ３２６における判定で、パラメータ更新を行ったグループに属する撮影装置ではないと判断した場合には、Ｓ３２５以降の処理を繰り返す。Ｓ３２６における判定で、パラメータ更新を行ったグループに属する撮影装置であると判断した場合には、Ｓ３２７で図１５，図１６で１１０に示すパラメータ表示リストに表示されたすべての撮影パラメータブロックを出力する。次に、Ｓ３２８においてネットワーク１０６に接続されているすべての撮影装置を検出したかを判定し、未検出の撮影装置が存在する場合にはＳ３２５以降の処理を繰り返す。Ｓ３２８における判定ですべての撮影装置を検出したと判断した場合には処理を終了する。
【０１１１】
パラメータ変更通知は図２３に示すように、撮影装置の操作画面にパラメータの入力ボタン１２６を設け、ユーザが該ボタン１２６を押したときに管理装置１へ通知するように構成する、あるいは撮影装置が起動したときに、撮影装置から管理装置１へ通知するように構成してもよい。
【０１１２】
撮影装置は、管理装置１が出力した撮影パラメータブロックを受け取ると、撮影パラメータブロックの識別ＩＤを元に、更新すべき撮影パラメータブロックを特定し、管理装置１が出力した撮影パラメータブロックに含まれるパラメータを更新する。
【０１１３】
以上説明した構成、及び処理によれば、上記実施例６に示す効果に加えて、管理装置１によるパラメータの入出力処理が撮影装置の要求によって行われるため、管理装置１上でパラメータ入出力処理を忘れるなどにより撮影装置のパラメータが更新されないということがなく、確実に撮影装置のパラメータを更新することができる。
【０１１４】
【実施例８】
上記実施例１乃至７においては、ネットワークに接続された複数のＸ線画像撮影装置のパラメータをパラメータ管理装置によって共有するよう構成していたが、パラメータの共有のためにパラメータ管理装置を設置する必要があり、パラメータ管理装置を設置するためのスペースが必要であり、またパラメータ管理装置を導入するためのコストも必要である。このため、管理装置を介することなく、複数のＸ線画像撮影装置間でパラメータを共有するよう構成することも可能である。
【０１１５】
図２１は本発明の第８の実施形態に係る医療画像撮影システムの構成を表す図である。図２１に示すように撮影装置２ａ，２ｂ，２ｃ，…、モニタ１０４ａ，１０４ｂ，…、プリンタ１０５ａ，１０５ｂ，…がネットワーク１０６を介して接続されており、撮影装置２ａ，２ｂ，２ｃ，…で撮影されたＸ線画像は、撮影を行った撮影装置においてモニタ、プリンタへの出力のために最適な画像に変換されたのち、モニタ１０４ａ，１０４ｂ，…、プリンタ１０５ａ，１０５ｂ，…へ、ネットワーク１０６を介して出力される。
【０１１６】
次に撮影装置２ａ，２ｂ，２ｃ，…が保持するパラメータについて図２２を用い説明を行う。図２２は撮影装置２ａ，２ｂ，２ｃ，…が保持するパラメータを格納した領域のフォーマット例を示したものであり、１２７は保持しているパラメータが格納されたパラメータ格納領域である。パラメータ格納領域１２７は、パラメータを識別するためのＩＤ、画像処理の種類、出力プリンタ、出力サーバ、出力モニタの情報から構成される撮影装置のパラメータと、個々のパラメータがマスタであるか、スレーブであるかを示す属性領域から構成される。マスタ属性となっているパラメータは、ネットワーク１０６に接続された撮影装置で共有されるパラメータであり、スレーブ属性となっているパラメータはネットワーク１０６に接続された他の撮影装置が保持するパラメータをマスタ情報として共有するようになっている。１２４はパラメータ更新情報格納領域であり、ネットワーク１０６に接続された他の撮影装置によって該領域に格納されたパラメータによってスレーブ属性となっているパラメータを更新する。パラメータ更新情報格納領域１２４は、パラメータ格納領域１２７で説明した撮影装置のパラメータとマスタ撮影装置によってパラメータが更新された更新日時から構成される。
【０１１７】
なお、本図におけるパラメータ格納領域１２７においては撮影パラメータを前記、画像処理の種類、出力プリンタ、出力サーバ、出力モニタから構成しているが、撮影パラメータは本構成に限定されるものではなく、撮影装置の動作設定にかかわるその他のパラメータを含めることも、前記、撮影パラメータから不要なパラメータを削除したものでもよい。
【０１１８】
次に図２３、図２４および図２５を用い、撮影装置がマスタ属性の撮影パラメータブロックを他の撮影装置に出力、あるいは撮影装置がパラメータ更新情報格納領域１２４から撮影パラメータブロックを入力する動作について説明する。
【０１１９】
図２３は撮影装置の操作画面例を示し、図中１２５に示すパラメータ出力ボタンを押すことによって、マスタ属性のパラメータを他の撮影装置に出力、また図中１２６に示すパラメータ入力ボタンを押すことによって、パラメータ更新情報格納領域１２４からパラメータを入力する。
【０１２０】
図２４は撮影装置が、保持しているマスタ属性となっている撮影パラメータブロックをネットワーク１０６に接続された他の撮影装置に出力する動作を示すフローチャートである。Ｓ３３０において、図２３で１２５に示すパラメータ出力ボタンが押されると撮影装置はＳ３３１においてネットワーク１０６に接続されている撮影装置を検索する。撮影装置が検出されると、Ｓ３３２において、撮影装置は、現在保持しているマスタ属性となっている撮影パラメータブロックのすべてに、処理を行った日時を付加し、検出された撮影装置の図２２で１２４に示すパラメータ更新情報格納領域に出力する。次にＳ３３３においてネットワーク１０６に接続されたすべての撮影装置を検出したかを判定し、未検出の撮影装置が存在する場合にはＳ３３１以降の処理を繰り返す。Ｓ３３３における判定ですべての撮影装置を検出したと判断した場合には処理を終了する。
【０１２１】
図２５は撮影装置がパラメータ更新情報格納領域１２４から撮影パラメータブロックを入力する動作を示すフローチャートである。Ｓ３４０において、図２３で１２６に示すパラメータ入力ボタンが押されると撮影装置はＳ３４１において図２２、１２４に示すパラメータ更新情報格納領域に格納されたすべての情報に対して更新日時を削除し、撮影パラメータブロックとしてパラメータ格納領域１２７にコピーして処理を終了する。
【０１２２】
Ｓ３４１におけるコピー処理では、撮影パラメータブロックの識別ＩＤを元に、更新すべき撮影パラメータブロックを特定し、パラメータを更新する。
【０１２３】
なお、本実施例中では、図２３に示すパラメータ出力ボタン１２５、パラメータ入力ボタン１２６を押すことで、パラメータの出力、パラメータの入力を行うよう構成しているが、操作の簡略化のために、撮影装置の起動時、パラメータの出力処理、パラメータの入力処理の順で自動的に行うよう構成してもよい。
【０１２４】
以上説明した構成、及び処理によれば、実施例１に示す効果に加えて、管理装置を介さず、複数の撮影装置において特定の撮影装置のパラメータをマスタとして、他の撮影装置はマスタとなるパラメータで現在保持しているパラメータを更新することにより、マスタ指定された撮影装置のパラメータの変更結果を複数の撮影装置間で共有することができ、管理装置の設置スペース、導入コストの削減を図れる。
【０１２５】
【実施例９】
上記実施例８におけるパラメータの入力処理では、各撮影装置が、撮影装置自身のパラメータ更新情報格納領域１２４からスレーブ属性のパラメータを取得するよう構成しているが、特定の撮影装置がマスタパラメータを出力しているタイミングにおいて、電源が投入されていないなどの理由により、マスタパラメータがパラメータ更新情報格納領域１２４に格納されない場合があり、一部のパラメータが更新されないことがある。このため、パラメータの入力時、ネットワーク１０６に接続された撮影装置内のパラメータ更新情報格納領域１２４から最新のパラメータを入力するよう構成することも可能である。
【０１２６】
なお本実施形態に係るパラメータ管理装置を含む医療画像撮影システムの構成及び、撮影装置２ａ，２ｂ，２ｃ，…が保持するパラメータについては実施例８において説明を行ったものと同一であるので説明を省略する。
【０１２７】
図２６はパラメータの入力時、ネットワーク１０６に接続された撮影装置内のパラメータ更新情報格納領域１２４から最新のパラメータを入力する動作を示すフローチャートである。なお本実施例では図２１で２ａに示す撮影装置が２ｂ，２ｃ…に示す撮影装置からパラメータを入力する場合を例にとり説明する。
【０１２８】
Ｓ３５０において図２３で１２６に示すパラメータ入力ボタンが押されると撮影装置２ａはＳ３５１においてネットワーク１０６に接続されている撮影装置を検索する。Ｓ３５２において撮影装置２ａはネットワーク１０６に接続されているすべての撮影装置の検索が終了したかを判定し、すべての撮影装置の検索が終了したと判断した場合にはＳ３５３において撮影装置２ａが保持するパラメータ更新情報格納領域１２４に格納されたすべての情報に対して、更新日時を削除し、撮影パラメータブロックとしてパラメータ格納領域１２７にコピーして処理を終了する。Ｓ３５２における判定で未検出の撮影装置が存在すると判断した場合には、次にＳ３５４において検出した撮影装置の、図２２で１２４に示すパラメータ更新情報格納領域から１部位の撮影パラメータブロックを取得する。Ｓ３５５において検出した撮影装置パラメータ更新情報格納領域１２４に格納されているすべての撮影パラメータブロックを取得したかを判定し、すべての撮影パラメータブロックを取得した場合にはＳ３５１以降の処理を繰り返す。Ｓ３５５における判定で、未取得の撮影パラメータブロックが存在すると判断した場合には、次にＳ３５６において、Ｓ３５４で取得した撮影パラメータブロックのＩＤと同一ＩＤの撮影パラメータブロックが、撮影装置２ａが保持するパラメータ更新情報格納領域１２４内に存在するかを判定する。Ｓ３５６における判定で、存在しないと判断した場合には、撮影パラメータブロックが未入力であると判断し、Ｓ３５８において、Ｓ３５４で取得したパラメータを撮影装置２ａのパラメータ更新情報格納領域１２４にコピーする。Ｓ３５６における判断で存在すると判断した場合には、次にＳ３５７において撮影装置２ａのパラメータ更新情報格納領域１２４内の撮影パラメータブロックと、検出された撮影装置のパラメータ更新情報格納領域１２４内の撮影パラメータブロックの更新日時領域を比較し、検出された撮影装置の撮影パラメータブロックの更新日時が新しい場合には、Ｓ３５８において、Ｓ３５４で取得したパラメータを撮影装置２ａのパラメータ更新情報格納領域１２４にコピーする。Ｓ３５７における比較処理で、検出された撮影装置の撮影パラメータブロックの更新日時が同一か、あるいは古い場合には、Ｓ３５４以降の処理を繰り返す。Ｓ３５８におけるパラメータのコピー処理を行った場合には、Ｓ３５４以降の処理を繰り返す。
【０１２９】
Ｓ３５３におけるコピー処理では、撮影パラメータブロックの識別ＩＤを元に、更新すべき撮影パラメータブロックを特定し、パラメータを更新する。
【０１３０】
以上説明した構成、及び処理によれば、特定の撮影装置がマスタパラメータを出力しているタイミングにおいて、電源が投入されていないなどの理由により、マスタパラメータがパラメータ更新情報格納領域に格納されない場合においても、他の撮影装置から最新のパラメータを入力でき、パラメータを確実に更新できる。
【０１３１】
【発明の効果】
以上説明したように、本発明のＸ線画像撮影装置のパラメータの管理方法および、パラメータを管理するパラメータ管理装置によれば、パラメータの変更結果を複数の装置間で共有することができ、作業効率を向上させることができる。
【図面の簡単な説明】
【図１】第１の実施例に係るパラメータ管理装置を含む医療画像撮影システムの構成図
【図２】第１の実施例において、管理装置が保持する撮影装置のパラメータを表す図
【図３】第１の実施例において、管理装置がマスタ指定された撮影装置のパラメータを入力する場合の動作を表すフローチャート
【図４】第１の実施例において、管理装置が保持するパラメータを撮影装置に出力する動作を表すフローチャート
【図５】第２の実施例において、撮影装置からの要求によって管理装置がパラメータの出力する動作を示すフローチャート
【図６】第２の実施例において、撮影装置からの要求によって管理装置がパラメータの入力を行うとともに、更新されたパラメータを撮影装置に出力する動作を示すフローチャート
【図７】第３の実施例において、管理装置が撮影装置からの要求によりマスタ指定撮影装置を変更し、パラメータの入出力を行う動作を示すフローチャート
【図８】第４の実施例において、一部の撮影装置のみパラメータを共有させるよう構成した場合の管理装置が保持する撮影装置のパラメータおよび、パラメータの入出力、マスタとなる撮影装置の変更を行う操作画面の例を示す図
【図９】第４の実施例において、管理装置がマスタ指定された撮影装置のパラメータを入力する処理を示すフローチャート
【図１０】第４の実施例において、管理装置が保持するパラメータを図８で１１６に示すグループ装置リスト内にリストアップされた撮影装置に出力する動作を表すフローチャート
【図１１】第５の実施例において、パラメータのブロック毎にマスタとなる撮影装置を設定するよう構成した場合の管理装置が保持する撮影装置のパラメータおよび、パラメータの入出力、マスタとなる撮影装置の変更を行う操作画面の例を示す図
【図１２】第５の実施例において、管理装置がマスタ指定された撮影装置のパラメータを入力する処理を示すフローチャート
【図１３】第５の実施例において、管理装置が保持するパラメータを撮影装置に出力する動作を表すフローチャート
【図１４】第６の実施例において、撮影装置、プリンタ、モニタから構成される複数のグループから構成される医療画像撮影システムの構成例を示す図
【図１５】第６の実施例において、ネットワークに接続され、グループとなっている撮影装置に対して、グループ毎にパラメータを共有させるよう構成した場合の管理装置が保持する撮影装置のパラメータおよび、パラメータの入出力、マスタとなる撮影装置の変更を行う操作画面の例を示す図
【図１６】第６の実施例において、ネットワークに接続され、グループとなっている撮影装置に対して、グループ毎にパラメータを共有させるよう構成した場合の管理装置が保持する撮影装置のパラメータおよび、パラメータの入出力、マスタとなる撮影装置の変更を行う操作画面の例を示す図
【図１７】第６の実施例において、管理装置がマスタ指定された撮影装置のパラメータを入力する処理を示すフローチャート
【図１８】第６の実施例において、管理装置が保持するパラメータを撮影装置に出力する動作を表すフローチャート
【図１９】第７の実施例において、撮影装置からの要求によって管理装置がパラメータを出力する動作を示すフローチャート
【図２０】第７の実施例において、撮影装置からの要求によって管理装置がパラメータの入力を行うとともに、更新されたパラメータを撮影装置に出力する動作を示すフローチャート
【図２１】第８の実施例に係る医療画像撮影システムの構成を表す図
【図２２】第８の実施例において、撮影装置が保持するパラメータを格納した領域のフォーマット例を示す図
【図２３】撮影装置の操作画面例を示す図
【図２４】第８の実施例において、撮影装置が、保持しているマスタ属性パラメータをネットワークに接続された他の撮影装置に出力する動作を示すフローチャート
【図２５】第８の実施例において、撮影装置がパラメータ更新情報格納領域からパラメータを入力する動作を示すフローチャート
【図２６】第９の実施例において、パラメータの入力時、ネットワークに接続された撮影装置内のパラメータ更新情報格納領域から最新のパラメータを入力する動作を示すフローチャート
【図２７】従来のＸ線撮影システムを示す構成図
【符号の説明】
１  パラメータ管理装置
２ａ，２ｂ，２ｃ  Ｘ線画像撮影装置
１０４ａ，１０４ｂ  モニタ
１０５ａ，１０５ｂ  プリンタ
１０６  ネットワーク
１１０  パラメータ表示リスト
１１１  マスタ装置選択リスト
１１２  マスタパラメータ入力ボタン
１１３  マスタパラメータ出力ボタン
１１４  グループ追加装置リスト
１１５  装置追加ボタン
１１６  グループ装置リスト
１１７  装置削除ボタン
１１８  パラメータ参照装置選択リスト
１１９  参照パラメータ表示リスト
１２０  パラメータ削除ボタン
１２１  パラメータ追加ボタン
１２２  マスタパラメータ表示リスト
１２３  グループ選択リスト
１２４  パラメータ更新情報格納領域
１２５  パラメータ出力ボタン
１２６  パラメータ入力ボタン
１２７  パラメータ格納領域
【図１】
2005013397.tif 000003
【図２】
2005013397.tif 000004
【図３】
2005013397.tif 000005
【図４】
2005013397.tif 000006
【図５】
2005013397.tif 000007
【図６】
2005013397.tif 000008
【図７】
2005013397.tif 000009
【図８】
2005013397.tif 000010
【図９】
2005013397.tif 000011
【図１０】
2005013397.tif 000012
【図１１】
2005013397.tif 000013
【図１２】
2005013397.tif 000014
【図１３】
2005013397.tif 000015
【図１４】
2005013397.tif 000016
【図１５】
2005013397.tif 000017
【図１６】
2005013397.tif 000018
【図１７】
2005013397.tif 000019
【図１８】
2005013397.tif 000020
【図１９】
2005013397.tif 000021
【図２０】
2005013397.tif 000022
【図２１】
2005013397.tif 000023
【図２２】
2005013397.tif 000024
【図２３】
2005013397.tif 000025
【図２４】
2005013397.tif 000026
【図２５】
2005013397.tif 000027
【図２６】
2005013397.tif 000028
【図２７】
2005013397.tif 000029